(57)【特許請求の範囲】
【請求項１】
非円形断面の開口（２，２２）を設けた構体（１，２１）を固定するため、固定素子（１０）とカバープレート（３，２３）とを有する固定装置において、前記開口（２，２２）を円形部分とこの円形部分の両側で互いに直径方向に対向するよう対称的に配置した２個の拡大部分（７，２７）とにより構成し、この拡大部分（７，２７）の幅（Ｂ）を拡大部分（７，２７）の対称軸線に平行に外側に向かって扇状に拡大させ、前記カバープレート（３，２３）により前記開口（２，２２）を少なくとも部分的にカバーし、前記カバープレート（３，２３）の側面（４，２４）には、貫通孔（５，２５）と、この貫通孔（５，２５）の両側に互いに直径方向に貫通孔（５，２５）から離れて対向配置し、前記構体（１，２１）の開口（２，２２）の扇状拡大部分（７，２７）の外端縁に掛合する２個の突出部（６，２６）を設け前記突出部（６，２６）の外側輪郭よりも、カバープレート（３，２３）の外側輪郭を平坦平面方向に大きくしたことを特徴とする固定装置。
【請求項２】
前記カバープレート（３，２３）の前記側面（４，２４）に、構体（１，２１）の側方端縁と掛合する案内部（８，２８）を設けた請求項１記載の固定装置。
【請求項３】
前記案内部（８，２８）はカバープレート（３，２３）の側方端縁から曲げ出すことによって形成した請求項２記載の固定装置。
【請求項４】
前記案内部は、互いに平行に延びる２個の前記案内部として設けた請求項３記載の固定装置。
【請求項５】
前記カバープレート（２３）に、構体（２１）に連結できる挿入部分（２９）を設けた請求項１乃至４のうちのいずれか一項に記載の固定装置。
【請求項６】
前記挿入部分（２９）の少なくとも構体（２１）の側面に平行な部分を可撓性にし、構体（２１）の開口（２２）の外側輪郭内部に挿入するため、挿入しない状態で少なくとも部分的に開口（２２）よりも僅かに大きくした請求項５記載の固定装置。
【発明の詳細な説明】
【０００１】
【発明の属する技術分野】
本発明は、非円形断面の開口を設けた構体に固定するため、固定素子とカバープレートとを有する固定装置に関する。
【０００２】
【従来の技術】
輪郭又は溝レールを構体に連結するのに使用するこのような固定装置としては、ドイツ国特許公開第４２４３１８５号に記載されいるものがあり、この装置は、固定素子と、非円形のヘッドを有する輪郭レール内ナットと、構体の非円形の開口を少なくとも部分的にカバーしかつこの開口に掛合する突出部を有するカバープレートとにより構成している。固定装置を構体に簡単かつ迅速に組み付けることができるようにするため、輪郭レール内ナットの非円形ヘッドを構体の開口の横断面に適合させる。これにより、構体の開口から適正な角度でねじを輪郭レール内ナットに挿通することができる。このようにしないと、固定素子の輪郭レール内ナットはゆるんでしまう。
【０００３】
このような構体を堅固な基礎構造体に固定することができるようにするため、例えば、既知の装置のカバープレートを使用することができ、このカバープレートによってねじの形式の固定素子を開口の内部に同心状に案内することができる。固定素子を基礎構造体に配置しただぼ素子に掛合させることによって押圧力を発生し、この押圧力は構体上のカバープレートから外部に露出する固定素子によって作用する。
【０００４】
【発明が解決しようとする課題】
しかし、既知のカバープレートは非円形開口の両側にのみ突出し、従って、構体の互いに直径方向に対向する領域にのみ載置してこの領域に高い面圧を発生する。このことは、開口を幅の狭い形状に変形する。従って、構体の固定にねじが広く使用される可能性はそれほど多くなく、ねじのナットを開口に差し込むことも多くない。
【０００５】
本発明の目的は、固定素子によって構体に発生する押圧力が開口の周りに均等に分布するようにした固定装置を得るにある。
【０００６】
【課題を解決するための手段】
この目的を達成するため、本発明は、非円形断面の開口を設けた構体を固定するため、固定素子とカバープレートとを有する固定装置において、前記開口を円形部分とこの円形部分の両側で互いに直径方向に対向するよう対称的に配置した２個の拡大部分とにより構成し、この拡大部分の幅を拡大部分の対称軸線に平行に外側に向かって扇状に拡大させ、前記カバープレートにより前記開口を少なくとも部分的にカバーし、前記カバープレートの側面には、貫通孔と、この貫通孔の両側に互いに直径方向に貫通孔から離れて対向配置し、前記構体の開口の扇状拡大部分の外端縁に掛合する２個の突出部を設け前記突出部の外側輪郭よりも、カバープレートの外側輪郭を平坦平面方向に大きくしたことを特徴とする。
【０００７】
【発明の実施の形態】
本発明の好適な実施の形態としてのカバープレートにおいては、固定素子によりカバープレートに及ぼす押圧力が非円形の開口の周囲に均等に分布する。また高い面圧及び開口の変形を回避することができる。
【０００８】
構体の開口に対して対称軸線に平行にカバープレートを心決めすることができるようにするため、前記カバープレートの前記側面に、構体の側方端縁と掛合する案内部を設けるとよい。
【０００９】
製造コストの観点から、このような案内部は、カバープレートの側方端縁から曲げ出して形成し、この案内部を少なくとも部分的に構体に掛合させると好適である。
【００１０】
構体に対してカバープレートが移動できるようにするため、互いに平行に延びる２個の案内部を設けると好適である。
【００１１】
カバープレートを構体に予め組み立てておくことができるようにするため、前記カバープレートに、構体に連結できる挿入部分を設けると好適である。この挿入部分は軸線方向に移動不能かつ回転不能にカバープレートに連結し、また構体の開口の円形孔に配置する。
【００１２】
カバープレートを構体に固定することができるようにするため、前記挿入部分の少なくとも構体の側面に平行な部分を可撓性にし、構体の開口の外側輪郭内部に挿入するため、挿入しない状態で少なくとも部分的に開口よりも僅かに大きくすると好適である。
【００１３】
【実施例】
次に、図面につき本発明の好適な実施例を説明する。
【００１４】
図１には、開口２を設けた例えば、アングル状の構体１に、固定装置のカバープレート３を連結した状態を示し、この開口２は、１個の円形開口部分と互いに直径方向に対向配置した２個の拡大部分７とにより構成する。拡大部分７は対称的に形成し、対称軸線から外側に平行に測った拡大部分７の幅をＢとする。貫通開口５を除いて開口２をカバーするカバープレート３の側面４に２個の互いに直径方向に対向する突出部６を設け、カバープレート３の側面４に対して垂直に突出するこの突出部６の輪郭をアングル状の構体１の開口２の拡大部分７の周囲の輪郭の少なくとも一部に対応させる。
【００１５】
突出部６を設けたカバープレート３の側面４には、構体１に連係する案内部８を設け、この案内部８を構体１の互いに直径方向に対向する構体１の側方端縁１３に掛合する。
【００１６】
図２には、カバープレート３及び固定素子１０を有して構体１に連結する固定装置全体と、基礎構造体１２と、輪郭レール９を示す。ねじとしての固定素子１０をカバープレート３の貫通開口５及びアングル状の構体１の開口２を経て、基礎構造体１２に配置しただぼ素子１１に挿入する。
【００１７】
カバープレート３の側面４に設けた突出部６は、構体１の拡大部分７に少なくとも部分的に突入させる。固定素子１０のヘッドをカバープレート３の他方の側面にワッシャを介在させて配置し、カバープレートの一方の側面４から突出部６を突出させる。構体１には、仮想線で示した輪郭レール又は溝レール９をやはり仮想線で示したねじ連結部材により連結する。このとき、ねじ連結部材としてのレール内ナットには構体１の開口２に対応する非円形のヘッドを設ける。
【００１８】
図３及び図４には、本発明による固定装置の一部としてのカバープレート２３及び挿入部分２９を部分的に示す。構体２３に配置するカバープレート２３の側面には、突出部２６と、側方端縁から曲げ出した案内部２８とを突出させる。曲げ出した側方端縁は、構体２１の側方端縁３２に少なくとも部分的に掛合させる。突出部２６は互いに直径方向に対向させ、この突出部２６のカバープレート２３の側面２４から垂直に突出させた輪郭を、開口２２の拡大部分２７の周囲の輪郭に少なくとも部分的に対応させる。構体２１の開口２２の円形孔に連続する拡大部分２７は、この拡大部分２７の対称軸線に平行に外側に向かって測った幅Ｂを有する。
【００１９】
カバープレート２３に連結する挿入部分２９には弾性リング３３を設け、互いに直径方向に対向する位置に設けた２個のピン状連結素子３０を突出させる。リング３３の中心の貫通孔３４の大きさは、カバープレート２３の円形の貫通開口２５にほぼ対応させる。これらピン状連結素子３０を互いに直径方向に対向させて設けたカバープレート２３の収容孔にそれぞれ突入させる。収容孔３１において半径方向に突出する角が食い込んで、ピン状連結素子３０の少なくとも周囲に設けた窪み部分で双方の部分を互いに連結する。このようにして挿入部分２９のカバープレート２３に対する軸線方向の強固な結合を生ずる。
【００２０】
弾性リング３３の外側輪郭は、構体２１の開口２２の円形孔の外側輪郭よりも部分的に大きくし、この弾性リング３３の装着によって円形孔の半径方向に押圧するようにする。この押圧により円形孔の内壁に摩擦を生ずる。この摩擦によって、構体２１にカバープレート２３を取り付けることができる。
【図面の簡単な説明】
【図１】本発明による固定装置のカバープレートをアングル状の構体に連結した状態を示す底面図である。
【図２】構体を連結した本発明による固定装置と、基礎構造体と、輪郭レールとを示す一部断面とする側面図である。
【図３】本発明による固定装置の他の実施例の部分底面図である。
【図４】図３のIV-IV 線上の断面図である。
【符号の説明】
1,21  構体
2,22  開口
3,23  カバープレート
4,24  側面
5,25  貫通開口
6,26  突出部
7,27  拡大円形部分
8,28  案内部
９  輪郭レール
10  固定素子
11  だぼ素子
12  基礎構造体
13,32 側方端縁
29  挿入部分
30  ピン状連結素子
31  収容孔
33  弾性リング
34  貫通孔
【図１】
0003814316.tif 000002
【図２】
0003814316.tif 000003
【図３】
0003814316.tif 000004
【図４】
0003814316.tif 000005